(57)【要約】保全された伝送プロトコルは通常、往復遅延を測定することにより、いつメッセージを反復すべきかを導出する。このような保全された伝送プロトコルの典型的な例は、ＩＥＴＦ ＲＦＣ ７９３による伝送コントロールプロトコルＴＣＰ、およびＩＥＴＦ ＲＦＣ ２９６０によるストリームコントロール伝送プロトコルＳＣＴＰである。一般的に、検出された往復遅延から片道遅延を推定することは不可能である。メッセージを１つの受信器（Ｅ）へ送信するために１つの送信器（Ｓ）に対して複数のメッセージ経路（Ｐ１，Ｐ２，Ｐ３）が存在する場合、メッセージが最短時間で伝達されるメッセージ経路（Ｐ１）で該メッセージを送信するのが有利である。こうするためには送信器（Ｓ）に、どのメッセージ経路（Ｐ１，Ｐ２，Ｐ３）が最短時間のメッセージ経路であるかという情報が存在しなければならない。本発明ではこうするために、送信器（Ｓ）および受信器（Ｅ）のクロック同期性は必要ない。この基礎となる思想は、最短時間のメッセージ経路（Ｐ１）を求めるために、異なるメッセージ経路（Ｐ１，Ｐ２，Ｐ３）における絶対的な遅延時間が既知である必要はなく、むしろ、検査すべき複数のメッセージ経路（Ｐ１，Ｐ２，Ｐ３）で各１つずつメッセージ（ＤｅｌａｙＲｅｓ）を送信し、受信順序に基づいて最短時間のメッセージ経路（Ｐ１）を識別するだけで十分であるということである。
2005507610.tif 000002
【特許請求の範囲】
【請求項１】
通信システムにおいて最短時間のメッセージ経路（Ｐ１）を決定するための方法において、
該通信システムには、送信装置（Ｓ）、受信装置（Ｅ）、および該送信装置（Ｓ）から該受信装置（Ｅ）までの少なくとも２つのメッセージ経路（Ｐ１，Ｐ２，Ｐ３）が設けられており、
それに応じて、該送信装置（Ｓ）によってメッセージないしはメッセージエレメント（ＤｅｌａｙＲｅｓ）を、該送信装置（Ｓ）から該受信装置（Ｅ）へのすべてのメッセージ経路（Ｐ１，Ｐ２，Ｐ３）で送信して、最短時間の経路（Ｐ１）をメッセージ経路（Ｐ１，Ｐ２，Ｐ３）として決定し、
前記メッセージ経路（Ｐ１，Ｐ２，Ｐ３）を介して、まず該受信装置（Ｅ）によって受信されるメッセージないしはメッセージエレメント（ＤｅｌａｙＲｅｓ）を受信することを特徴とする方法。
【請求項２】
該送信装置（Ｓ）によって該送信装置（Ｓ）から該受信装置（Ｅ）までのメッセージ経路（Ｐ１，Ｐ２，Ｐ３）を介して送信されるすべてのメッセージないしはメッセージエレメント（ＤｅｌａｙＲｅｓ）を、該受信装置（Ｅ）によって受信し、
すべてのメッセージ経路または選択されたメッセージ経路（Ｐ１，Ｐ２，Ｐ３）の相対的なメッセージ伝搬時間（ΔＴ２，ΔＴ３）を、異なるメッセージ経路（Ｐ１，Ｐ２，Ｐ３）で受信されたメッセージないしはメッセージエレメント（ＤｅｌａｙＲｅｓ）の時間間隔から、最短時間の経路（Ｐ１）のメッセージ伝搬時間に関連して求める、請求項１記載の方法。
【請求項３】
求められた最短時間の前記メッセージ経路（Ｐ１）、および／またはすべてのメッセージ経路または選択されたメッセージ経路（Ｐ１，Ｐ２，Ｐ３）の相対的なメッセージ伝搬時間（ΔＴ２，ΔＴ３）を、該受信装置（Ｅ）によって該送信装置（Ｓ）に対して指示する、請求項１または２記載の方法。
【請求項４】
メッセージないしはメッセージエレメント（ＲｅｌａｙＲｅｓ）を該送信装置（Ｓ）によって、該送信装置（Ｓ）から該受信装置（Ｅ）への異なるメッセージ経路（Ｐ１，Ｐ２，Ｐ３）で、同時点で、または所期の伝搬時間に対して無視可能な僅かな時間間隔で送信する、請求項１から３までのいずれか１項記載の方法。
【請求項５】
該送信装置（Ｓ）から該受信装置（Ｅ）までの異なるメッセージ経路（Ｐ１，Ｐ２，Ｐ３）で、等しい長さのメッセージないしはメッセージエレメント（ＤｅｌａｙＲｅｓ）、および／または同じ特徴を有するメッセージ（ＤｅｌａｙＲｅｓ）を該送信装置（Ｓ）によって送信する、請求項１から４までのいずれか１項記載の方法。
【請求項６】
該送信装置（Ｓ）から該受信装置（Ｅ）までの異なるメッセージ経路（Ｐ１，Ｐ２，Ｐ３）で送信されたメッセージないしはメッセージエレメント（ＤｅｌａｙＲｅｓ）を、
該送信装置（Ｓ）によってスタンプされたタイムスタンプに基づいて、および／または、
送信装置（Ｓ）と受信装置（Ｅ）との間で宣言された通信プロトコルにて該通信プロトコルのために設けられた特別なメッセージ形式に基づいて、および／または、該送信装置（Ｓ）によってセットされた該メッセージないしはメッセージエレメントの連続番号に基づいて、および／または、
送信装置（Ｓ）と受信装置（Ｅ）との間で宣言された通信プロトコルの特徴に基づいて、すべてのメッセージ経路または選択されたメッセージ経路（Ｐ１，Ｐ２，Ｐ３）のうち最短時間のメッセージ経路（Ｐ１）および／またはすべてのメッセージ経路または選択されたメッセージ経路（Ｐ１，Ｐ２，Ｐ３）の相対的なメッセージ伝搬時間（ΔＴ２，ΔＴ３）を求めるために設けられたメッセージないしはメッセージエレメント（ＤｅｌａｙＲｅｓ）であると識別する、請求項１から５までのいずれか１項記載の方法。
【請求項７】
送信装置（Ｓ）と受信装置（Ｅ）との間の通信プロトコルとして、マルチリンクプロトコルを使用し、
該受信装置（Ｅ）によって該送信装置（Ｓ）に対し、異なるメッセージ経路（Ｐ１，Ｐ２，Ｐ３）のうちの１次メッセージ経路（Ｐ１）を指示し、
前記１次メッセージ経路（Ｐ１）を使用して該送信装置（Ｓ）から、該受信装置（Ｅ）へメッセージを伝達する、請求項１から６までのいずれか１項記載の方法。
【請求項８】
送信装置（Ｓ）と受信装置（Ｅ）との間の通信プロトコルとして、拡張を有するＩＥＴＦ ＲＦＣ ２９６０によるストリームコントロール伝送プロトコルＳＣＴＰを使用し、
前記拡張によって、該受信装置（Ｅ）は該送信装置（Ｓ）に対し、メッセージを該受信装置（Ｅ）へ伝達するために使用すべき１次メッセージ経路（Ｐ１）を指示する、請求項１から７までのいずれか１項記載の方法。
【請求項９】
受信装置（Ｅ）であって、
該受信装置（Ｅ）は、メッセージを送信装置（Ｓ）から受信し、
少なくとも２つのメッセージ経路（Ｐ１，Ｐ２，Ｐ３）を介して、該送信装置（Ｓ）に接続されており、
該送信装置（Ｓ）から該受信装置（Ｅ）への最短時間のメッセージ経路（Ｐ１）を決定するための手段を有し、
前記手段によって、該受信装置（Ｅ）は該送信装置（Ｓ）からすべてのメッセージ経路（Ｐ１，Ｐ２，Ｐ３）で該送信装置（Ｓ）から該受信装置（Ｅ）へ送信されたメッセージないしはメッセージエレメント（ＤｅｌａｙＲｅｓ）を受信して、最短時間のメッセージ経路（Ｐ１）をメッセージ経路（Ｐ１，Ｐ２，Ｐ３）として決定し、
前記メッセージ経路（Ｐ１，Ｐ２，Ｐ３）を介して、該受信装置（Ｅ）はまずメッセージ（ＤｅｌａｙＲｅｓ）を受信するように構成されていることを特徴とする受信装置（Ｅ）。
【請求項１０】
該受信装置（Ｅ）は、すべてのメッセージ経路または選択されたメッセージ経路（Ｐ１，Ｐ２，Ｐ３）の相対的なメッセージ伝搬時間（ΔＴ２，ΔＴ３）を、該送信装置（Ｓ）からすべてのメッセージ経路（Ｐ１，Ｐ２，Ｐ３）で受信されたメッセージないしはメッセージエレメント（ＤｅｌａｙＲｅｓ）の時間間隔から求めるための手段を有し、
前記相対的なメッセージ伝搬時間（ΔＴ２，ΔＴ３）は、最短時間のメッセージ経路（Ｐ１）のメッセージ伝搬時間に関連する、請求項９記載の受信装置（Ｅ）。
【請求項１１】
該受信装置（Ｅ）は、前記最短時間のメッセージ経路（Ｐ１）および／または前記相対的なメッセージ伝搬時間（ΔＴ２，ΔＴ３）を該送信装置（Ｓ）に対して指示するための手段を有する、請求項９または１０記載の受信装置（Ｅ）。
【請求項１２】
該受信装置（Ｅ）は、最短時間のメッセージ経路（Ｐ１）および／またはすべてのメッセージ経路または選択されたメッセージ経路（Ｐ１，Ｐ２，Ｐ３）の相対的なメッセージ伝搬時間（ΔＴ２，ΔＴ３）を求めるために設けられたメッセージないしはメッセージエレメント（ＤｅｌａｙＲｅｓ）の識別を行うための手段を有し、
前記識別は、
該送信装置（Ｓ）によってスタンプされたタイムスタンプに基づいて行われ、および／または、
送信装置（Ｓ）と受信装置（Ｅ）との間で宣言された通信プロトコルに該通信プロトコルのために設けられた特別なメッセージ形式に基づいて、および／または、該送信装置（Ｓ）によってセットされたメッセージないしはメッセージエレメントの連続番号に基づいて行われ、および／または、
送信装置（Ｓ）と受信装置（Ｅ）との間で宣言された通信プロトコルの特徴に基づいて行われる、請求項９から１１までのいずれか１項記載の受信装置（Ｅ）。
【請求項１３】
該受信装置（Ｅ）はプロトコル装置を含んでおり、
前記プロトコル装置は、マルチリンクプロトコルの受信部を形成し、
前記マルチリンクプロトコルは、異なるメッセージ経路（Ｐ１，Ｐ２，Ｐ３）のうち１次メッセージ経路（Ｐ１）を該受信装置（Ｅ）によって該送信装置（Ｓ）に対して指示するための手段を有し、
前記１次メッセージ経路（Ｐ１）は、該送信装置（Ｓ）からメッセージを該受信装置（Ｅ）へ伝達するために使用される、請求項９から１２までのいずれか１項記載の受信装置（Ｅ）。
【請求項１４】
該受信装置（Ｅ）はプロトコル装置を有し、
前記プロトコル装置は、ＩＥＴＦ ＲＦＣ ２９６０によるストリームコントロール伝送プロトコルＳＣＴＰの受信部を形成し、
前記ストリームコントロール伝送プロトコルＳＣＴＰは拡張を有し、
前記拡張によって該受信装置（Ｅ）は該送信装置（Ｓ）に対し、メッセージを該受信装置（Ｅ）へ伝達するために使用すべき１次メッセージ経路（Ｐ１）を指示する、請求項９から１３までのいずれか１項記載の受信装置（Ｅ）。
【請求項１５】
送信装置（Ｓ）であって、
メッセージを受信装置（Ｅ）へ送信し、
少なくとも２つのメッセージ経路（Ｐ１，Ｐ２，Ｐ３）を介して該受信装置（Ｅ）に接続されている形式のものにおいて、
すべてのメッセー経路（Ｐ１，Ｐ２，Ｐ３）を介してメッセージないしはメッセージエレメント（ＤｅｌａｙＲｅｓ）を同時点で送信するための手段か、またはすべてのメッセー経路（Ｐ１，Ｐ２，Ｐ３）を介して、所期の伝搬時間に対して無視可能な僅かな時間間隔でメッセージないしはメッセージエレメント（ＤｅｌａｙＲｅｓ）を送信するための手段を有し、
該メッセージないしはメッセージエレメントを該受信装置（Ｅ）によって、最短時間のメッセージ経路（Ｐ１）および／またはすべてのメッセージ経路または選択されたメッセージ経路（Ｐ１，Ｐ２，Ｐ３）の相対的なメッセージ伝搬時間（ΔＴ２，ΔＴ３）を求めるために設けられたメッセージないしはメッセージエレメント（ＤｅｌａｙＲｅｓ）であると識別するため、メッセージないしはメッセージエレメント（ＤｅｌａｙＲｅｓ）を標識付けするための手段を有することを特徴とする送信装置（Ｓ）。
【請求項１６】
該送信装置（Ｓ）は、等しい長さのメッセージないしはメッセージエレメント（ＤｅｌａｙＲｅｓ）および／または同じ特徴を有するメッセージないしはメッセージエレメント（ＤｅｌａｙＲｅｓ）を送信し、最短時間のメッセージ経路（Ｐ１）および／またはすべてのメッセージ経路または選択されたメッセージ経路（Ｐ１，Ｐ２，Ｐ３）の相対的なメッセージ伝搬時間（ΔＴ２，ΔＴ３）を該受信装置（Ｅ）によって求めるための手段を有する、請求項１５記載の送信装置（Ｓ）。
【請求項１７】
メッセージないしはメッセージエレメント（ＤｅｌａｙＲｅｓ）を標識付けするための前記手段は、タイムスタンプをスタンプするための手段、および／または送信装置（Ｓ）と受信装置（Ｅ）との間で宣言された通信プロトコル内に最短時間のメッセージ経路（Ｐ１）および／またはすべてのメッセージ経路または選択されたメッセージ経路（Ｐ１，Ｐ２，Ｐ３）の相対的なメッセージ伝搬時間（ΔＴ２，ΔＴ３）を求めるために設けられたメッセージ形式を使用するための手段を有し、および／または、送信装置（Ｓ）と受信装置（Ｅ）との間で宣言された通信プロトコルの特徴を有する、請求項１５または１６記載の送信装置（Ｓ）。
【請求項１８】
該送信装置（Ｓ）はプロトコル装置を有し、
前記プロトコル装置はマルチリンクプロトコルの送信部を形成し、
前記マルチリンクプロトコルは、異なるメッセージ経路（Ｐ１，Ｐ２，Ｐ３）のうち１次メッセージ経路（Ｐ１）を該受信装置（Ｅ）によって該送信装置（Ｓ）に対して指示するための手段を有し、
前記１次メッセージ経路（Ｐ１）は、該送信装置（Ｓ）によってメッセージを該受信装置（Ｅ）へ伝達するために使用される、請求項１５から１７のうちいずれか１項記載の送信装置（Ｓ）。
【請求項１９】
該送信装置（Ｓ）はプロトコル装置を有し、
前記プロトコル装置は、ＩＥＴＦ ＲＦＣ ２９６０によるストリームコントロール伝送プロトコルＳＣＴＰの送信部を形成し、
前記ストリームコントロール伝送プロトコルＳＣＴＰは拡張を有し、
前記拡張によって該受信装置（Ｅ）は該送信装置（Ｓ）に対し、メッセージを該受信装置（Ｅ）へ伝達するために使用すべき１次メッセージ経路（Ｐ１）を指示する、請求項１５から１８までのいずれか１項記載の送信装置（Ｓ）。
【発明の詳細な説明】
【技術分野】
【０００１】
保全された伝送プロトコルは通常、往復遅延を測定することによって、いつメッセージを反復すべきかを導出する。この往復遅延はすなわち、メッセージが送信器から受信器へ伝送される際、および確認メッセージ等の別のメッセージが受信器から送信器へ伝送される際に発生する全遅延である。このような保全された伝送プロトコルの典型的な例は、ＩＥＴＦ ＲＦＣ ７９３による伝送制御プロトコルＴＣＰ、およびＩＥＴＦ ＲＦＣ ２９６０によるストリーム制御伝送プロトコルＳＣＴＰである。
【０００２】
この往復遅延を測定するために、送信器においてメッセージの送信時間が記録され、送信されたメッセージの受信器から到着した確認メッセージの受信時間が検出される。これらの時間の差から、往復遅延が求められる。この方式では、クロック同期は必要ない。
【０００３】
しかし、送信器から受信器へのメッセージの伝送は、受信器から送信器への確認メッセージの伝送とは異なるメッセージ経路で実行されるので、求められた往復遅延の値によって、送信器から受信器への片道遅延とその逆の片道遅延を推定することはできない。送信器から受信器へのメッセージの伝送が、受信器から送信器への確認メッセージの伝送と同一のメッセージ経路で実行される場合であっても、求められた往復遅延によって、送信器から受信器への片道遅延とその逆の片道遅延を推定することはできない。というのも、メッセージ経路は非常に非対称的である可能性があるからだ。
【０００４】
１つの送信器に対して、１つの受信器へメッセージを送信するために複数のメッセージ経路が存在する場合、メッセージが最短時間で受信器へ伝達されるメッセージ経路で該メッセージを送信するのが有利である。こうするためには送信器において、どのメッセージ経路が最短時間のメッセージ経路であるかという情報が存在しなければならない。最短時間のメッセージ経路は、送信器から受信器へのすべてのメッセージ経路の片道遅延に基づいて求められる。
【０００５】
片道遅延を測定するための公知の解決手段は、送信器および受信器のクロックないしはクロック発生器のクロック同期性を前提とする。クロック同期性とはここでは、クロックないしはクロック発生器は等しい速度で経過するが、必ずしも等しい絶対時間を有するわけではないことを意味する。クロック同期性が存在する場合、送信器によってタイムスタンプが設けられたメッセージが送信器から受信器へ送信される。前記メッセージは任意であるか、または測定目的のために固有に作成されたメッセージである。受信時点とタイムスタンプとの間の差から、当該メッセージ経路の片道遅延が受信器によって求められる。存在するメッセージ経路の数から最短時間のメッセージ経路を求めるためには、この手法を適切にすべてのメッセージ経路に対して繰り返さなければならない。すべてのメッセージ経路に対して受信器によって求められた片道遅延を比較することにより、受信器において最短時間のメッセージ経路を識別して送信器へ指示することが簡単にできる。
【０００６】
しかし多くの場合、送信器と受信器との間にクロック同期性は存在しない。
【０００７】
本発明の課題は、最短時間のメッセージ経路を求めるための前記公知の方法、受信装置および送信装置を改善することである。
【０００８】
前記課題は、請求項１、９および１５の構成によって解決される。
【０００９】
有利な実施形態は、従属請求項に記載されている。
【００１０】
本発明による方法の重要な利点は、送信器および受信器のクロック同期性を必要とせずに、送信器と受信器との間の最短時間のメッセージ経路を求められることである。このことの基礎となっている技術思想は、最短時間のメッセージ経路を求めるためには、異なるメッセージ経路における絶対的な遅延時間が既知である必要はなく、むしろ、検査すべき複数のメッセージ経路で各１つのメッセージを送信し、受信順序に基づいて最短時間のメッセージ経路を識別するので十分であることである。
【００１１】
本方法の有利な発展形態によれば、最短時間のメッセージ経路の他に、相対的なメッセージ伝搬時間も求められる。すなわち、各個別のメッセージ経路によって該最短時間のメッセージ経路に対して引き起こされる遅延も求められる‐請求項２。このことはたとえば、メッセージ経路の伝搬時間が有意には相互に偏差していない場合、すなわち最短時間のメッセージ経路に関連するメッセージ経路の求められた相対的な伝搬時間が十分に小さい場合、２つ以上のメッセージ経路の間で負荷分割するために適用される。
【００１２】
有利には、最短時間のメッセージ経路を求めるか、ないしは相対的な伝搬時間を測定するために送信器によって送信されるメッセージは、同時点または僅かな時間間隔で送信される‐請求項４。使用される通信プロトコルおよび／または送信装置が複数のメッセージ経路でメッセージを同時に送信しない場合は、これらのメッセージの僅かな時間間隔が設けられる。
【００１３】
以下で、本発明による方法を２つの図面に基づいて説明する。
【００１４】
図１は、受信装置Ｅと、送信装置Ｓと、異なる３つのメッセージ経路Ｐ１，Ｐ２，Ｐ３を介して該受信装置Ｅと該送信装置Ｓとの間で時点Ｔ０で送信されるメッセージとを示しており、該メッセージが異なる時点Ｔ１，Ｔ２，Ｔ３で受信装置Ｅによって受信されるのを示している。さらに、最短時間のメッセージ経路Ｐ１に関連してメッセージ経路Ｐ２，Ｐ３の相対的なメッセージ伝搬時間ΔＴ２，ΔＴ３が図示されている。
【００１５】
図２は、受信装置Ｅと、送信装置Ｓと、該受信装置Ｅから該送信装置Ｓへ送信される要求メッセージＤｅｌａｙＲｅｑと、それに基づいて時点Ｔ０で該送信装置Ｓから受信装置Ｅへ異なる３つのメッセージ経路Ｐ１，Ｐ２，Ｐ３で送信される３つの同一の確認メッセージＤｅｌａｙＲｅｓとを示している。これらの確認メッセージは、異なる時点Ｔ１，Ｔ２，Ｔ３で受信装置Ｅによって受信される。
【００１６】
図１は、本発明による方法の基礎となる技術思想を図解する。ここでは、送信装置Ｓと受信装置Ｅとの間において使用可能な複数のメッセージ経路Ｐ１，Ｐ２，Ｐ３のうちどれが最短時間のメッセージ経路であるかを求めなければならない。送信装置Ｓは、複数のメッセージ経路Ｐ１，Ｐ２，Ｐ３でメッセージを受信装置Ｅへ送信する。受信順序に基づいて、最短時間のメッセージ経路Ｐ１が受信装置Ｅによって決定される。ここでは、絶対的な受信時点Ｔ１、および送信装置Ｓと受信装置Ｅとの間の絶対的な遅延時間は重要ではない。前記遅延時間は、数式Ｔ１−Ｔ０によって表される。重要なのは、第１のメッセージ経路Ｐ１を介して、同時点または無視可能な時間間隔で送信された同一のメッセージのうち第１のメッセージが受信されたことである。このようにして、第１のメッセージ経路Ｐ１が最短時間のメッセージ経路として決定される。
【００１７】
さらに、異なるメッセージ経路Ｐ１，Ｐ２，Ｐ３を介する同一のメッセージの受信の時間差によって、相対的な伝搬時間差ΔＴ２，ΔＴ３が求められる。すなわち、すべてのメッセージ経路Ｐ２，Ｐ３で、最短時間のメッセージ経路Ｐ１に対して生じる遅延時間が求められる。数式として表される場合、メッセージ経路Ｐ２に対して相対的な伝搬時間差としてΔＴ２が得られる：ΔＴ２＝Ｔ２−Ｔ１。メッセージ経路Ｐ３に対しては、相対的な伝搬時間差ΔＴ３が次の数式によって得られる：ΔＴ３＝Ｔ３−Ｔ１。最短時間のメッセージ経路Ｐ１の相対的な伝搬時間ΔＴ１は特別なケースである。適用ケースに応じて、最短時間のメッセージ経路Ｐ１の相対的な伝搬時間ΔＴ１をゼロに設定すると有利である：ΔＴ１＝０。これは図示されていない。相対的なメッセージ伝搬時間ΔＴ１，ΔＴ２，ΔＴ３を送信装置Ｓへ伝送すれば、送信装置Ｓが最短時間のメッセージ経路Ｐ１を識別することが保証され、その際にはこのことを特別に指示する必要はない。
【００１８】
最短時間のメッセージ経路Ｐ１ないしは相対的なメッセージ伝搬時間を求めるためには、受信装置Ｅは、メッセージが同時点で送信されたことを識別することができるだけでよい。このことはたとえば、メッセージ内のタイムスタンプか、または連続番号を有する所定のメッセージ形式によって、または単にプロトコル自体から導出される。
【００１９】
最短時間のメッセージ経路が受信装置Ｅによって求められた後は、送信装置に対して、どのメッセージ経路が最短時間のメッセージ経路であり、メッセージを送信装置Ｓから受信装置Ｅへ伝送するために使用されるべきかということを指示するだけでよい。
【００２０】
通信関係が双方向である場合、ここに記載された方法は独立して双方向に使用される。このことはここでは示されていない。
【００２１】
本発明の方法を実施するため、完全なメッセージの代わりに、通常のメッセージに組み込まれたメッセージエレメント、通知またはパラメータも使用することができる。その際には、専用の要求メッセージＤｅｌａｙＲｅｑの代わりに要求メッセージエレメントＤｅｌａｙＲｅｑが使用される。この要求メッセージエレメントＤｅｌａｙＲｅｑに対する応答として、既述の確認メッセージＤｅｌａｙＲｅｓが送信されるか、または、相応の確認メッセージエレメントＤｅｌａｙＲｅｓが組み込まれた別のメッセージ形式が使用される。
【００２２】
本発明による方法は、ＩＥＴＦ ＲＦＣ ２９６０によるストリームコントロール伝送プロトコルＳＣＴＰを使用して有利に適用される。このことは図２に示されている。ＳＣＴＰはマルチリンクプロトコルである。ＳＣＴＰにおいて通例であるように、以下では、反対側へのメッセージは反対側のインターネットプロトコルアドレス（以下ではＩＰアドレス）によって識別されるということを前提とする。さらに、ＩＥＴＦインターネットドラフトdraft-ietf-tsvwg-addip-sctp-02で記述された拡張の一部が具現化されているということが前提とされている。この一部によって、ＳＣＴＰ終点Ｅが通信パートナＳのプライマリーパスないしは１次メッセージ経路を設定する。すなわちＥは、どの経路で通信パートナＳがメッセージを終点Ｅへ送信するかということを求める。この拡張は、どのメッセージ経路が最短時間のメッセージ経路であるかを指示するために使用される。
【００２３】
ＳＣＴＰメッセージは、共通ヘッダおよび複数のチャンクから成る。この複数のチャンクは、ＳＣＴＰメッセージが異なると異なり、チャンクなしのメッセージを使用することもできる。各チャンクは、チャンクタイプ、０〜２５５の間の数によって分類される。ここに記載された方法は、連続番号ＳＮを有する特別な新たなチャンク（ＤｅｌａｙＲｅｑ（ＳＮ），ＤｅｌａｙＲｅｓ（ＳＮ））を使用する。ＳＣＴＰによってこのような拡張が可能になり、この新たなチャンクが具現化されていないＳＣＴＰ終点とのインタオペラビリティを維持することができる。受信装置Ｅは要求メッセージＤｅｌａｙＲｅｑ（ＳＮ）を送信して測定を開始する。次の測定時には、連続番号としてＳＮ＋１が使用される。すなわち、受信装置Ｅによって付加的なカウンタが使用される。要求メッセージＤｅｌａｙＲｅｑ（ＳＮ）が送信装置Ｓによって受信されると、幾つかまたはすべての使用可能なメッセージ経路Ｐ１，Ｐ２，Ｐ３で、それぞれ１つの確認メッセージＤｅｌａｙＲｅｓ（ＳＮ）が送信される。その際受信装置Ｅは、どのメッセージ経路Ｐ１，Ｐ２，Ｐ３が最短時間のメッセージ経路であるかを求める。最短時間のメッセージ経路Ｐ１は、確認メッセージのデスティネーションＩＰアドレスないしは宛先ＩＰアドレスによって得られ、このデスティネーションＩＰアドレスないしは宛先ＩＰアドレスはチャンクを有し、第１のものとして受信される。このＩＰアドレスは、メッセージ「Set Primary IP Address」（１次ＩＰアドレスの設定。前記ＩＥＴＦインターネットドラフトdraft-ietf-tsvwg-addip-sctp-02の３．２．５および４．４に記載されている。後に再び抜粋として記載されている）によって送信装置Ｓに対して指示され、送信装置Ｓはこれに基づいて、このメッセージ経路Ｐ１を常に第１のメッセージ経路として、データ伝送のために使用する。この測定の頻度は、ネットワークの安定性に依存する。しかし、たとえば周期的にこのような測定を実施することが提案される。
【００２４】
ＤｅｌａｙＲｅｑチャンクおよびＤｅｌａｙＲｅｓチャンクによる上記方法に対して択一的に、最短時間のメッセージ経路Ｐ１，Ｐ２，Ｐ３を求めるためにHeartbeatチャンクおよびHeartbeat-Ackチャンクが使用される。Heartbeatチャンクの受信に対する応答として、幾つかまたはすべてのメッセージ経路で、上記実施例におけるＤｅｌａｙＲｅｓチャンクの代わりにHeartbeat-Ackチャンクが送信される。またこの方法は、別の具現化とのインタオペラビリティも保証する。さらに有利には、新たなチャンクタイプの導入が省略されるが、もちろんプロトコルの特性を相応に適応させなければならない。
【００２５】
ＩＥＴＦインターネットドラフトdraft-ietf-tsvwg-addip-sctp-02からの抜粋
2005507610.tif 000003
３．２．５  Set Primary IP Address
【００２６】
【表１】
2005507610.tif 000004
【００２７】
アドレスパラメータ：ＴＬＶ
このフィールドには、［ＲＦＣ２９６０］の３．３．２．１に記載されたＩＰｖ４アドレスパラメータまたはＩＰｖ６アドレスパラメータが含まれる。完全なＴＬＶがこのパラメータに含まれている。ここでは送信側が、データを送信すべきプライマリアドレスとして明示されたアドレスをマークする必要がある（［ＲＦＣ２９６０］のセクション５．１．２を参照せよ）。送信側はこれを１次アドレスとして、この要求の受信に応じてマークすることができる。
【００２８】
１次宛先アドレスは、以下のような形態にすることができる。
【００２９】
【表２】
2005507610.tif 000005
【００３０】
有効なチャンクアピアランス
Set Primary IP Addressパラメータは、ＡＳＣＯＮＦチャンク、ＩＮＩＴチャンクまたはＩＮＩＴ‐ＡＣＫチャンクの形態のアピアランスである。ＩＮＩＴまたはＩＮＩＴ‐ＡＣＫでのこのパラメータ内に含まれているものは、１次アドレスの初期プリファレンスを指示するために使用される。
（・・・）
４．４  １次アドレスの設定
このオプションの送信側は、これをアドレスの削除または付加と組み合わせて送信することを選択できる。送信側はset primary要求を、すでにアソシエーションの一部として見なされているアドレスへ送信するだけでよい。すなわち、送信側がset primaryをadd of a new IP addressと組み合わせると、set primaryは、add要求をset primaryの前に処理する必要がない（すなわちadd要求がset primaryより優先される）限り不要になる。
【００３１】
Set primaryの要求は、ＩＮＩＴチャンクまたはＩＮＩＴ‐ＡＣＫチャンクの形態で構成することもできる。これはピア終点に対し、該ピア終点のアドレスのうちどれでＩＮＩＴまたはＩＮＩＴ‐ＡＣＫの送信側が１次アドレスとして使用したいかということに関して指示する。
【００３２】
アドレスを１次経路として設定するための要求は、受信側が実施すべきオプションである。これは、最良の宛先アドレスの受信側をＳＣＴＰパケットを送信する際に使用するようにとの指示と見なされる（要求側の視点）。要求が到着すると受信側に対して、アドレスを存在しない１次アドレスとして設定するように要求される。受信側は、未変更の既存の１次アドレスを無視して、この要求を受け取ってはならない。
【図面の簡単な説明】
【００３３】
【図１】受信装置Ｅと、送信装置Ｓと、異なる３つのメッセージ経路Ｐ１，Ｐ２，Ｐ３を介して該受信装置Ｅと該送信装置Ｓとの間で時点Ｔ０で送信されるメッセージとを示しており、該メッセージが異なる時点Ｔ１，Ｔ２，Ｔ３で受信装置Ｅによって受信されるのを示している。
【００３４】
【図２】受信装置Ｅと、送信装置Ｓと、該受信装置Ｅから該送信装置Ｓへ送信される要求メッセージＤｅｌａｙＲｅｑと、それに基づいて時点Ｔ０で該送信装置Ｓから受信装置Ｅへ異なる３つのメッセージ経路Ｐ１，Ｐ２，Ｐ３で送信される３つの同一の確認メッセージＤｅｌａｙＲｅｓとを示している。
【図１】
2005507610.tif 000006
【図２】
2005507610.tif 000007
【国際公開パンフレット】
2005507610.tif 000008
2005507610.tif 000009
2005507610.tif 000010
2005507610.tif 000011
2005507610.tif 000012
2005507610.tif 000013
2005507610.tif 000014
2005507610.tif 000015
2005507610.tif 000016
2005507610.tif 000017
2005507610.tif 000018
2005507610.tif 000019
2005507610.tif 000020
2005507610.tif 000021
2005507610.tif 000022
2005507610.tif 000023
2005507610.tif 000024
2005507610.tif 000025
2005507610.tif 000026
2005507610.tif 000027
【国際調査報告】
2005507610.tif 000028
2005507610.tif 000029
2005507610.tif 000030
2005507610.tif 000031
2005507610.tif 000032
2005507610.tif 000033